(57)【特許請求の範囲】
【請求項１】
平面視において略長方形状をなす物品載置面を有したトレーと、このトレーの下側に配され当該トレーを回動可能に支持し得るトレー支持フレームを有するとともに下端にキャスタを有した支持体とを備えてなり、同一構造をなす他の医療用ワゴンと前後方向にスタッキング可能に構成された医療用ワゴンであって、
前記トレー支持フレームが、前記トレーの側部を下側から支持し得る左右の側支持部を備えており、
同一構造をなす他の医療用ワゴンとスタッキングした状態で、当該トレーの少なくとも一部が前記他の医療用ワゴンのトレーの上部に重なり得るものである医療用ワゴン。
【請求項２】
前記トレーが、前端部に傾斜面を有した前の案内部を有するとともに後端部に傾斜面を有した後の案内部を有したものであり、前記前の案内部又は前記後の案内部の何れか一方が、同一構造をなす他の医療用ワゴンとスタッキングする際に当該他の医療用ワゴンのトレーに当接し得るように構成されている請求項１記載の医療用ワゴン。
【請求項３】
前記トレー支持フレームが、前記トレーの側部を下側から支持し得る左右の側支持部と、これら左右の側支持部における前端部間を連結し前記トレーの前部を下側から支持し得る前支持部と、前記トレー後部の軸保持部と接続する回転軸を有したトレー取付部とを備えたものであり、
前記左右の側支持部が略直線状の形状をなしており、これら左右の側支持部が前方に向かうに連れて漸次近づくように配されており、前記左右の側支持部の後部が平面視において前記トレーよりも外方に露出するように構成されている請求項１又は２記載の医療用ワゴン。
【請求項４】
前記トレーが、前記物品載置面を有したトレー本体と、このトレー本体の周縁に設けられた周壁部材とを備えたものであり、
前記周壁部材が、前記トレー本体の周縁部から上方に立設された上方向壁と、この上方向壁よりも下方に延びる下方向壁とを備えたものであり、
前記トレー取付部が、前記回転軸と、この回転軸と異なる方向に延び前記回転軸と前記左右の側支持部との間を連結する回転軸支持部とを備えており、
前記回転軸が、前記下方向壁の内側に配されている請求項３記載の医療用ワゴン。
【請求項５】
前記トレー取付部が、左右方向に延びる前記回転軸と、この回転軸と略直交する方向に延び前記回転軸の端部と前記左右の側支持部との間を連結する回転軸支持部とを備えた平面視コ字状をなしており、前記回転軸支持部が、前記トレーの周壁部材と係わり合うようになっている請求項４記載の医療用ワゴン。
【請求項６】
前記周壁部材が、前記トレー本体の周縁部から上方に立設された前記上方向壁を含む内壁と、この内壁の外側に形成され前記下方向壁を含む外壁とを備えたものである請求項４又は５記載の医療用ワゴン。
【請求項７】
前記トレーが、前端部に下向きの傾斜面を有した前の案内部を有するとともに後端部に上向きの傾斜面を有した後の案内部を有したものであり、
前記前の案内部が、同一構造をなす他の医療用ワゴンとスタッキングする際に当該他の医療用ワゴンのトレーにおける後の案内部と係わり得るものとなっており、
前記後の案内部が、同一構造をなす他の医療用ワゴンとスタッキングする際に当該他の医療用ワゴンのトレーにおける前の案内部と係わり得るものとなっている請求項１、２、３、４、５又は６記載の医療用ワゴン。
【請求項８】
前記トレーが、前端部に傾斜面を有した前の案内部を有するとともに後端部に傾斜面を有した後の案内部を有したものであり、前記前の案内部又は前記後の案内部の何れか一方が、同一構造をなす他の医療用ワゴンとスタッキングする際に当該他の医療用ワゴンのトレーに当接し得るように構成されているものであり、
前記トレーが、前後方向に延びるリブを複数備えたものであり、前側に向かって露出させた前記リブを主体にして前記前の案内部が構成されている請求項１、２、３、４、５、６又は７記載の医療用ワゴン。
【請求項９】
前記トレーが、前記支持体に対して回動可能且つ着脱可能に構成されている請求項１、２、３、４、５、６、７又は８記載の医療用ワゴン。
【発明の詳細な説明】
【技術分野】
【０００１】
本発明は、病院等の医療機関において好適に用いられる医療用ワゴンに関する。
【背景技術】
【０００２】
従来から、医療用資材等の物品を移動させるために、看護師や医療従事者等が使用する医療用ワゴンが知られている（例えば、特許文献１を参照）。この種の医療用ワゴンは、ナースステーションや処置室等に複数台配置されていることが通常である。
【０００３】
ところが、従来のものは、不使用時において、単に複数台を隣接した状態で配置することしかできないため、比較的広範なスペースを占有してしまうという不具合がある。
【先行技術文献】
【特許文献】
【０００４】
【特許文献１】特開２００７−８２６６０号公報
【発明の概要】
【発明が解決しようとする課題】
【０００５】
本発明は、以上のような事情に着目してなされたもので、物品を好適に載せ置くことができるとともに、不使用時において複数台をスペース効率良く待機させることができる医療用ワゴンを提供することにある。
【課題を解決するための手段】
【０００６】
すなわち、本発明は次の構成をなしている。
【０００７】
請求項１に記載の発明は、平面視において略長方形状をなす物品載置面を有したトレーと、このトレーの下側に配され当該トレーを回動可能に支持し得るトレー支持フレームを有するとともに下端にキャスターを有した支持体とを備えてなり、同一構造をなす他の医療用ワゴンと前後方向にスタッキング可能に構成された医療用ワゴンであって、前記トレー支持フレームが、前記トレーの側部を下側から支持し得る左右の側支持部を備えており、同一構造をなす他の医療用ワゴンとスタッキングした状態で、当該トレーの少なくとも一部が前記他の医療用ワゴンのトレーの上部に重なり得るものである医療用ワゴンである。
【０００８】
請求項２に記載の発明は、前記トレーが、前端部に傾斜面を有した前の案内部を有するとともに後端部に傾斜面を有した後の案内部を有したものであり、前記前の案内部又は前記後の案内部の何れか一方が、同一構造をなす他の医療用ワゴンとスタッキングする際に当該他の医療用ワゴンのトレーに当接し得るように構成されている請求項１記載の医療用ワゴンである。
【０００９】
請求項３に記載の発明は、前記トレー支持フレームが、前記トレーの側部を下側から支持し得る左右の側支持部と、これら左右の側支持部における前端部間を連結し前記トレーの前部を下側から支持し得る前支持部と、前記トレー後部の軸保持部と接続する回転軸を有したトレー取付部とを備えたものであり、前記左右の側支持部が略直線状の形状をなしており、これら左右の側支持部が前方に向かうに連れて漸次近づくように配されており、前記左右の側支持部の後部が平面視において前記トレーよりも外方に露出するように構成されている請求項１又は２記載の医療用ワゴンである。
【００１０】
請求項４に記載の発明は、前記トレーが、前記物品載置面を有したトレー本体と、このトレー本体の周縁に設けられた周壁部材とを備えたものであり、前記周壁部材が、前記トレー本体の周縁部から上方に立設された上方向壁と、この上方向壁よりも下方に延びる下方向壁とを備えたものであり、前記トレー取付部が、前記回転軸と、この回転軸と異なる方向に延び前記回転軸と前記左右の側支持部との間を連結する回転軸支持部とを備えており、前記回転軸が、前記下方向壁の内側に配されている請求項３記載の医療用ワゴンである。
【００１１】
請求項５に記載の発明は、前記トレー取付部が、左右方向に延びる前記回転軸と、この回転軸と略直交する方向に延び前記回転軸の端部と前記左右の側支持部との間を連結する回転軸支持部とを備えた平面視コ字状をなしており、前記回転支持部が、前記トレーの周壁部材と係わり合うようになっている請求項４記載の医療用ワゴンである。
【００１２】
請求項６に記載の発明は、前記周壁部材が、前記トレー本体の周縁部から上方に立設された前記上方向壁を含む内壁と、この内壁の外側に形成され前記下方向壁を含む外壁とを備えたものである請求項４又は５記載の医療用ワゴンである。
【００１３】
請求項７に記載の発明は、前記トレーが、前端部に下向きの傾斜面を有した前の案内部を有するとともに後端部に上向きの傾斜面を有した後の案内部を有したものであり、前記前の案内部が、同一構造をなす他の医療用ワゴンとスタッキングする際に当該他の医療用ワゴンのトレーにおける後の案内部と係わり得るものとなっており、前記後の案内部が、同一構造をなす他の医療用ワゴンとスタッキングする際に当該他の医療用ワゴンのトレーにおける前の案内部と係わり得るものとなっている請求項１、２、３、４、５又は６記載の医療用ワゴンである。
【００１４】
請求項８に記載の発明は、前記トレーが、前端部に傾斜面を有した前の案内部を有するとともに後端部に傾斜面を有した後の案内部を有したものであり、前記前の案内部又は前記後の案内部の何れか一方が、同一構造をなす他の医療用ワゴンとスタッキングする際に当該他の医療用ワゴンのトレーに当接し得るように構成されているものであり、前記トレーが、前後方向に延びるリブを複数備えたものであり、前側に向かって露出させた前記リブを主体にして前記前の案内部が構成されている請求項１、２、３、４、５、６又は７記載の医療用ワゴンである。
【００１５】
請求項９に記載の発明は、前記トレーが、前記支持体に対して回動可能且つ着脱可能に構成されている請求項１、２、３、４、５、６、７又は８記載の医療用ワゴンである。
【発明の効果】
【００１６】
以上説明したように本発明によれば、物品を好適に載せ置くことができるとともに、不使用時において複数台をスペース効率良く待機させることができる医療用ワゴンを提供することができる。
【図面の簡単な説明】
【００１７】
【図１】本発明の一実施形態を示す斜視図。
【図２】同実施形態における正面図。
【図３】同実施形態における背面図。
【図４】同実施形態における右側面図。
【図５】同実施形態における平面図。
【図６】図２におけるＸ−Ｘ線断面図。
【図７】同実施形態における分解斜視図。
【図８】同実施形態におけるスタッキング状態を説明するための側面図。
【図９】図８におけるＹ方向矢視図。
【図１０】同実施形態におけるオプションを取り付けた態様を示す斜視図。
【図１１】他の実施形態を示す斜視図。
【発明を実施するための形態】
【００１８】
以下、本発明の一実施形態を、図１〜９を参照して説明する。
【００１９】
この実施形態は、本発明を、家具である医療用ワゴンＡに適用したものである。医療用ワゴンＡは、病院等の医療機関において好適に用いられるものである。医療用ワゴンＡは、医療機関内において看護師や医療従事者が種々の物品を移動する際に使用するものであり、例えば、処置室、病棟のナースステーション等に複数配置され得るものである。
【００２０】
以下、医療用ワゴンＡの各構成について詳述する。
【００２１】
医療用ワゴンＡは、金属製のパイプ材を主体に構成された支持体Ｂと、この支持体Ｂに対して上下方向に回動可能に支持されたトレーＣとを備えたものである。医療用ワゴンＡは、図８、及び、図９に示すように、同一構造をなす他の医療用ワゴンＡ’と前後方向にスタッキング可能に構成されている。
【００２２】
はじめに、支持体Ｂについて説明する。
【００２３】
支持体Ｂは、前部の二箇所、及び後部の二箇所にそれぞれ配設されたキャスタｂ１と、後部側のキャスタｂ１の上に配されるとともに当該キャスタｂ１に支持され上下方向に延びる左右の並行フレームたる左右の起立フレームｂ３、ｂ４と、左右の起立フレームｂ３、ｂ４の上端部から連続して延設された左右のハンドルフレームｂ５、ｂ６と、これら左右のハンドルフレームｂ５、ｂ６の前端部から前方に向かって連続して延設された直線状をなす左右の側支持部ｂ２１を有した上のトレー支持フレームｂ２とを備えている。トレー支持フレームｂ２の上には、トレーＣ（上のトレーＣ）が配されている。前側のキャスタｂ１の上には、上のトレー支持部フレームｂ２と略同一の構成をなす下のトレー支持フレームｂ７が配されている。下のトレー支持フレームｂ７における直線状をなす左右の側支持部ｂ７１の後端部は、左右の起立フレームｂ３、ｂ４の下端部近傍に接続している。トレー支持フレームｂ７の上には、トレーＣ（下のトレーＣ）が配される。左右の起立フレームｂ３、ｂ４間には、直線状をなす第一の連結部材ｂ８が架設されている。左右のハンドルフレームｂ５、ｂ６間には、直線状をなす第二の連結部材ｂ９が架設されている。
【００２４】
この実施形態では、支持体Ｂにおけるキャスタｂ１以外の部分は、金属製のパイプ材により構成されており、複数のパイプ材を所定の箇所で折り曲げるとともに所定の箇所を溶接により強固に連結することにより構成されている。後部側のキャスタｂ１にはロック機構ｂ１１を備えており、使用者の足の操作によって所定の位置で車輪を固定することができるようになっている。
【００２５】
上のトレー支持フレームｂ２は、トレーＣの側部を下側から支持し得る左右の側支持部ｂ２１と、これら左右の側支持部ｂ２１における前端部間を連結しトレーＣの前部を下側から支持し得る前支持部ｂ２２と、トレーＣと着脱可能に接続し得るトレー取付部ｂ２３とを備えている。トレー支持フレームｂ２は、トレーＣを、物品（図示せず）が載置できる状態に直接又は間接的に支持するものである。
【００２６】
左右の側支持部ｂ２１は、平面視において略直線状の形状をなしている。左右の側支持部ｂ２１は、左右対称に配されており、前方に向かうに連れて漸次近づくように配されている。左右の側支持部ｂ２１の後部は、平面視においてトレーＣよりも外方に露出するように構成されている。換言すれば、トレーＣにおける後部の側縁は、当該トレーＣの下に位置する左右の側支持部ｂ２１に支持されている。
【００２７】
前支持部ｂ２２は、左右の側支持部ｂ２１の前端間に架設されている。前支持部ｂ２２は、トレーＣにおける前部側を下面側から支持し得るようになっている。なお、前支持部ｂ２２の上面側には、適宜、トレーＣとの衝撃を緩和するために緩衝部材（図示せず）が配設される。
【００２８】
トレー取付部ｂ２３は、側支持部ｂ２１よりも細径の部材により形成されている。トレー取付部ｂ２３は、トレーＣの後部側に配され、当該トレーＣに設けられた軸保持部ｃ２と係合し得る左右方向に延びる回転軸ｋｊと、この回転軸ｋｊと異なる方向である前後方向に延び回転軸ｋｊと左右の側支持部ｂ２１との間を連結する回転軸支持部ｊｓとを備えている。換言すれば、トレー取付部ｂ２３は、左右方向に延びる回転軸ｋｊと、この回転軸ｋｊの両端から当該回転軸ｋｊと略直交する前方向に延び回転軸ｋｊの端部と左右の側支持部ｂ２３との間を連結する回転軸支持部ｊｓとを備えたものであり、平面視略コ字状に形成されたものである。
【００２９】
回転軸ｋｊは、ワゴンＣに形成された左右の下方向壁ｄｗを含む左右の外壁ｓ７、ｓ８の内側に配されている。すなわち、回転軸ｋｊは、左右の外壁ｓ７、ｓ８の間に位置し得る長手寸法に設定されている。回転軸支持部ｊｓは、トレーＣにおける物品載置面ｃ１の周囲に形成された周壁部材Ｓと係わり合ってトレーＣが支持体Ｂに対して左右方向に動きにくくなるように構成されている。なお、支持体ＢとトレーＣとの係わり合いの詳細については後述することとする。
【００３０】
左右の並行フレームたる左右の起立フレームｂ３、ｂ４は、上下方向に延びてなり、後側のキャスタｂ１に支持されている。左右の起立フレームｂ３、ｂ４は、略平行に配されている。左右の起立フレームｂ３、ｂ４の略中間部間には、左右方向に直線状に延びる第一の連結部材ｂ８が配されている。第一の連結部材ｂ８は、左右の起立フレームｂ３、ｂ４よりも細径の部材が採用されている。
【００３１】
左右のハンドルフレームｂ５、ｂ６は、使用者が通常の使用状態において把持し得る部位を構成している。左右のハンドルフレームｂ５、ｂ６は、左右対称に配されている。すなわち、左のハンドルフレームｂ５と右のハンドルフレームｂ６とは、それぞれ独立して設けられている。
【００３２】
左右のハンドルフレームｂ５、ｂ５は、左右の起立フレームｂ３、ｂ４の上端部から連続し、側面視において後傾した態様で直線状に延びた直線ハンドルフレーム部ｂ５１、ｂ６１と、これら直線ハンドルフレーム部ｂ５１、ｂ６１の上端部からそれぞれ連続し、側面視において略二分の一円弧状に湾曲する部位を有してなる湾曲ハンドルフレーム部ｂ５２、ｂ６２とを備えている。
【００３３】
左のハンドルフレームｂ５、及び、トレー支持フレームｂ２を構成する左の側支持部ｂ２１は、図５に示すように、平面視において略直線状をなすように連続した左の直線状部分を構成している。右のハンドルフレームｂ６、及び、トレー支持フレームｂ２を構成する右の側支持部ｂ２１は、図５に示すように、平面視において略直線状をなすように連続した右の直線状部分を構成している。この実施形態では、左の直線状部分と右の直線状部分とが前方に向かうに連れて漸次近づくように配されている。平面視における左右のハンドルフレームｂ５、ｂ６の間には、トレーＣの後端部が配されている。
【００３４】
左右のハンドルフレームｂ５、ｂ６の一部は、側面視において左右の側支持部２１よりも上に位置している。左右のハンドルフレームｂ５、ｂ６の一部は、側面視において左右の起立フレームｂ３、ｂ４よりも後に位置している。左右のハンドルフレームｂ５、ｂ６は、その頂部ｔｐから後部に向かって、側面視において略四分の一円弧状に形成された部位を有している。換言すれば、左右のハンドルフレームｂ５、ｂ６における湾曲ハンドルフレーム部ｂ５１、ｂ６１は、側面視において最も上に位置する頂部ｔｐから後方に向かって略四分の一円弧状に形成された部位を備えている。
【００３５】
左右のハンドルフレームｂ５、ｂ６における略中間部間に左右方向の直線状に延びる第二の連結部材ｂ９が配されている。
【００３６】
下のトレー支持フレームｂ７、上のトレー支持フレームｂ２と略同一の構成をなしているため、詳細な説明を省略する。また、下のトレー支持フレームｂ７が支持する下のトレーＣも上のトレーＣと同一の略同一の構成をなしているため共通の符号を付して説明を省略する。すなわち、下のトレー支持フレームｂ７は、下のトレーＣの側部を下側から支持し得る左右の側支持部ｂ７１と、これら左右の側支持部ｂ７１における前端部間を連結しトレーＣの前部を下側から支持し得る前支持部ｂ７２と、トレーＣと着脱可能に接続し得るトレー取付部ｂ７３とを備えている。トレー取付部ｂ７３は、側支持部ｂ７１よりも細径の部材により形成されている。トレー取付部ｂ７３は、トレーＣの後部側に配され、当該トレーＣに設けられた軸保持部ｃ２と係合し得る左右方向に延びる回転軸ｋｊと、この回転軸ｋｊと異なる方向である前後方向に延び回転軸ｋｊと左右の側支持部ｂ７１との間を連結する回転軸支持部ｊｓとを備えている。
【００３７】
続いて、トレーＣについて説明する。
【００３８】
トレーＣは、合成樹脂により形成されている。トレーＣは、支持体Ｂに対して回動可能且つ着脱可能に構成されている。トレーＣは、平面視において前後方向に長い略長方形状をなす物品載置面ｃ１を有したトレー本体Ｈと、このトレー本体Ｈの周縁に設けられた周壁部材Ｓとを備えている。
【００３９】
トレーＣは、前端部における下側の部位に下向きの傾斜面ｋａを有した前の案内部ｃ３を有するとともに後端部における上面側の部位に上向き傾斜面ｋｂを有した後の案内部ｃ４を有している。前の案内部ｃ３は、正面側から視認し得る位置に設けられており、後の案内部ｃ４は、背面側から視認し得る位置に設けられている。
【００４０】
この実施形態では、前の案内部ｃ３は、トレー本体Ｈと周壁部材Ｓとの間を亘る位置に形成されている。後の案内部ｃ４は、周壁部材Ｓに形成されている。下向きの傾斜面ｋａは前から後に向かって漸次下方に位置するように傾斜している。上向きの傾斜面ｋｂは後から前に向かって漸次上方に位置するように傾斜している。
【００４１】
前の案内部ｃ３、又は、後の案内部ｃ４の何れか一方は、同一構造をなす他の医療用ワゴンＡ’とスタッキングする際に、当該他の医療用ワゴンＡ’のトレーＣ’に当接し得るように構成されている。より詳しく言えば、前の案内部ｃ３は、同一構造をなす他の医療用ワゴンＡ’とスタッキングする際に、当該他の医療用ワゴンＡ’のトレーＣ’における後の案内部ｃ４’と係わり得るものとなっている。後の案内部ｃ４は、同一構造をなす他の医療用ワゴンＡ’とスタッキングする際に、当該他の医療用ワゴンＡ’のトレーにおける前の案内部ｃ３と係わり得るものとなっている。
【００４２】
トレーＣは、下面側に前後方向に延びるリブｒｂを複数備えている。リブｒｂは、トレー本体Ｈの下面、及び、周壁部材Ｓの下面に連続して設けられている。リブｒｂは前後方向に延びる態様で下向きに突設されたレール状をなしている。リブｒｂは左右方向に複数設けられている。この実施形態では、前の案内部ｃ３は、前側に向かって露出させたリブｒｂを含んで構成されている。
【００４３】
トレー本体Ｈは、上面側に略フラットな物品載置面ｃ１を備えている。物品載置面ｃ１は、前後方向に長い長方形状をなしており、医療用品載置用の長方形のバットが四つ（前後に二個ずつ）並べて配置し得る大きさに設定されている。
【００４４】
周壁部材Ｓは、物品載置面ｃ１を囲繞している部位である。周壁部材Ｓは、トレー本体Ｈの周縁部から上方に立設された上方向壁ｕｐを含む前後左右の内壁ｓ１、ｓ２、ｓ３、ｓ４と、内壁ｓ１、ｓ２、ｓ３、ｓ４の外側に形成され当該内壁ｓ１、ｓ２、ｓ３、ｓ４よりも下方に延びる下方向壁ｄｗを含む前後左右の外壁ｓ５、ｓ６、ｓ７、ｓ８とを備えている。
【００４５】
内壁ｓ１、ｓ２、ｓ３、ｓ４は、トレー本体Ｈの周縁から連設されている。内壁ｓ１、ｓ２、ｓ３、ｓ４は、物品載置面ｃ１に載せられた物品（図示せず）が当接し得る位置に形成されており、物品が周囲から落下しないようになっている。
【００４６】
外壁ｓ５、ｓ６、ｓ７、ｓ８は、内壁ｓ１、ｓ２、ｓ３、ｓ４の上端縁から連接されている。外壁ｓ５、ｓ６、ｓ７、ｓ８は、内壁ｓ１、ｓ２、ｓ３、ｓ４の外側に位置するよう形成されている。
【００４７】
周壁部材Ｓには、トレー取付部ｂ２３の回転軸ｋｊに外嵌して当該回転軸ｋｊを枢支する軸保持部ｃ２を備えている。この実施形態では、軸保持部ｃ２は、周壁部材Ｓにおける後の内壁ｓ２と後の外壁ｓ６との間に形成されている。
【００４８】
周壁部材Ｓには、トレー取付部ｂ２３の回転軸支持部ｊｓと係わり合い、トレーＣが支持体Ｂに対して左右方向にずれ動くのを抑制するための係合部ｃ５を備えている。この実施形態では、係合部ｃ５は、周壁部材Ｓにおける左の内壁ｓ３と左の外壁ｓ７との間、及び、右の内壁ｓ４と右の外壁ｓ８との間に設けられている。係合部ｃ５は、トレーＣの後部側における左右の周壁部材Ｓに形成されており、回転軸支持部ｊｓを収容し得るように前後方向に延びた溝状の部位である。係合部ｃ５は、左右に対をなして配された回転軸支持部ｊｓと密に摺接し得るように設定されている。
【００４９】
この実施形態では、同一構造をなす他の医療用ワゴンＡ’に対して、後方から医療用ワゴンＡを移動させて、他の医療用ワゴンＡ’とのスタッキングを行った場合、当該スタッキング状態において、医療用ワゴンＡのトレーＣの少なくとも一部が前記他の医療用ワゴンＡ’のトレーＣ’の上部に重なり得るものとなっている。より具体的には、スタッキング状態において、他の医療用ワゴンＡ’のトレーＣ’における後部における上側に、医療用ワゴンＡのトレーＣの前部が重なり得るように配される。トレーＣは、スタッキング状態において、斜めに傾斜した姿勢を採り得るようになっている。
【００５０】
以上説明したように、本実施形態に係る医療用ワゴンＡは、平面視において略長方形状をなす物品載置面ｃ１を有したトレーＣと、このトレーＣの下側に配され当該トレーＣを回動可能に支持し得るトレー支持フレームｂ２を有するとともに下端にキャスタｃ１を有した支持体Ｂとを備えている。そして、医療用ワゴンＡは、同一構造をなす他の医療用ワゴンＡ’と前後方向にスタッキング可能に構成されている。トレー支持フレームｂ２が、トレーＣの側部を下側から支持し得る左右の側支持部ｂ２１を備えている。医療用ワゴンＡは、同一構造をなす他の医療用ワゴンＡ’とスタッキングした状態で、前記トレーＣの少なくとも一部が他の医療用ワゴンＡ’のトレーＣ’の上部に重なり得るものとなっている。このため、物品を好適に載せ置くことができるとともに、不使用時において複数台をスペース効率良く待機させることができる医療用ワゴンＡを提供することができるものとなる。
【００５１】
トレーＣが、前端部に傾斜面ｋａを有した前の案内部ｃ３を有するとともに後端部に傾斜面ｋｂを有した後の案内部ｃ４を有している。前の案内部ｃ３又は後の案内部ｃ４の何れか一方が、同一構造をなす他の医療用ワゴンＡ’とスタッキングする際に当該他の医療用ワゴンＡ’のトレーＣ’に当接し得るように構成されている。このため、スタッキング時に、好適にトレーＣが案内されるものとなり、適切なスタッキングをスムーズに行い得るものとなる。
【００５２】
トレー支持フレームｂ２が、トレーＣの側部を下側から支持し得る左右の側支持部ｂ２１と、これら左右の側支持部ｂ２１における前端部間を連結しトレーＣの前部を下側から支持し得る前支持部ｂ２２と、トレーＣの後部に配されトレーＣの軸保持部ｃ２と接続する回転軸ｋｊを有したトレー取付部ｂ７３とを備えている。そして、左右の側支持部ｂ２１が略直線状の形状をなしており、これら左右の側支持部ｂ２１が前方に向かうに連れて漸次近づくように配されており、左右の側支持部ｂ２１の後部が平面視においてトレーＣよりも外方に露出するように構成されている。このため、スタッキング可能な支持体Ｂの構造を有するのみならず、左右の側支持部ｂ２１によりトレーＣの左右端部を下方から支持し得る構造を実現し得るものとなる。
【００５３】
トレーＣが、物品載置面ｃ１を有したトレー本体Ｈと、このトレー本体Ｈの周縁に設けられた周壁部材Ｓとを備えている。そして、周壁部材Ｓが、トレー本体Ｈの周縁部から上方に立設された上方向壁ｕｐと、この上方向壁ｕｐよりも下方に延びる下方向壁ｄｗとを備えている。そして、トレー取付部ｂ２３が、回転軸ｋｊと、この回転軸ｋｊと異なる方向に延び回転軸ｋｊと左右の側支持部ｂ２１との間を連結する回転軸支持部ｊｓとを備えており、回転軸ｋｊが、下方向壁ｄｗの内側に配されている。このため、回転軸ｊｋが下方向壁ｄｗの内側に位置するため、トレーＣが支持体Ｂに対して左右方向にぶれ動いてしまうのを好適に抑制することができるものとなる。
【００５４】
トレー取付部ｂ２３が、左右方向に延びる回転軸ｋｊと、この回転軸ｋｊと略直交する方向に延び回転軸ｋｊの端部と左右の側支持部ｂ２１との間を連結する回転軸支持部ｊｓとを備えた平面視コ字状をなしている。そして、回転軸支持部ｊｓが、トレーＣの周壁部材Ｓと係わり合うようになっている。このため、トレーＣが支持体Ｂに対して左右方向にぶれ動いてしまうのを好適に抑制することができるものとなる。
【００５５】
周壁部材Ｓが、トレー本体Ｈの周縁部から上方に立設された上方向壁ｕｐを含む内壁ｓ１、ｓ２、ｓ３、ｓ４と、この内壁ｓ１、ｓ２、ｓ３、ｓ４の外側に形成され下方向壁ｄｗを含む外壁ｓ５、ｓ６、ｓ７、ｓ８とを備えたものである。このため、物品載置面ｃ１に載せ置いた物品が落下し難い構造を得ることができるのみならず、トレー取付部ｂ２３と協働してトレーＣが支持体Ｂに対して左右方向にぶれ動いてしまうのを好適に抑制し得る構造を得ることができるものとなる。
【００５６】
前の案内部ｃ３が、同一構造をなす他の医療用ワゴンＡ’とスタッキングする際に当該他の医療用ワゴンＡ’のトレーＣにおける後の案内部ｃ４’と係わり得るものとなっており、後の案内部ｃ４が、同一構造をなす他の医療用ワゴンＡ’とスタッキングする際に当該他の医療用ワゴンＡ’のトレーＣ’における前の案内部ｃ３’と係わり得るものとなっている。このため、スタッキング時に、前の案内部ｃ３、又は、後の案内部ｃ４が、他の医療用ワゴンＡ’における後の案内部ｃ４’、又は、前の案内部ｃ３’と係わり合い好適にトレーＣが案内されるものとなり、適切なスタッキングをスムーズに行い得るものとなる。
【００５７】
トレーＣが、前後方向に延びるリブｒｂを複数備えている。そして、前側に向かって露出させた前記リブｒｂを主体にして前の案内部ｃ３が構成されている。このため、強度の保持に寄与するだけでなく、他の医療用ワゴンＡ’のトレーＣ’と接触し得る面積を減少させて、他のトレーＣ’に対する滑りやすさを実現させた好適な前の案内部ｃ３を形成することができるものとなる。
【００５８】
トレーＣが、支持体Ｂに対して回動可能且つ着脱可能に構成されている。このため、容易に洗浄することができるものとなり医療の用に供するものとして好適なものとなる。
【００５９】
なお、本発明は、以上に詳述した実施形態に限られるものではない。
【００６０】
例えば、図１０に示すように、医療用ワゴンＡにオプションたる小物入れＥを着脱可能に装着するようにしてもよい。換言すれば、医療用ワゴンＡには、対をなす並行フレームたる起立フレームｂ３、ｂ４間に小物入れＥを支持させるようにした取付構造を適用することができる。小物入れＥは、籠状の本体ｅ１と、この本体ｅ１の側部に設けられ前記対をなす起立フレームｂ３、ｂ４と係わり合い当該起立フレームｂ３、ｂ４の長手方向たる上下方向と直交する前後方向への移動を規制し得る起立フレーム係合部ｅ２とを備えたものとしており、医療用ワゴンＡが小物入れＥと当接して当該小物入れＥの取付位置からの移動を禁止する係合部たる第一の連結部材ｂ８を備えたものとしている。
【００６１】
また、図１１に示すように、医療用ワゴンＡは、右の起立フレームｂ３と左の起立フレーム（図示せず）との間に支持させた中間のトレー支持フレームｂ０を備えたものとし、その中間のトレー支持フレームｂ０の上にトレーＣを支持させるようにしてもよい。なお、中間のトレー支持フレームｂ０の構造は、上のトレー支持フレームｂ２と同じ構造になるため説明を省略する。また、中間トレー支持フレームｂ０に支持されるトレーＣの構造は、上のトレー支持フレームｂ２や下のトレー支持フレームｂ７に支持されるトレーＣと同じ構造になるため説明を省略する。
【００６２】
左右の側支持部は、前方に向かうに連れて漸次近づくように配されている態様に限られない。つまり、左右の側支持部は、前方に向かうに連れて下方に向かって傾斜する態様のものであってもよい。
【００６３】
その他、各部の具体的構成についても上記実施形態に限られるものではなく、本発明の趣旨を逸脱しない範囲で種々変形が可能である。
【符号の説明】
【００６４】
Ａ…医療用ワゴン
Ｂ…支持体
Ｃ…トレー
ｂ１…キャスタ
ｂ２…トレー支持フレーム（上のトレー支持フレーム）
ｂ２１…側支持部
ｂ２３…トレー取付部
ｋｊ…回転軸
【図１】
0006589455.tif 000002
【図２】
0006589455.tif 000003
【図３】
0006589455.tif 000004
【図４】
0006589455.tif 000005
【図５】
0006589455.tif 000006
【図６】
0006589455.tif 000007
【図７】
0006589455.tif 000008
【図８】
0006589455.tif 000009
【図９】
0006589455.tif 000010
【図１０】
0006589455.tif 000011
【図１１】
0006589455.tif 000012